(57)【特許請求の範囲】
【請求項１】
軟質弾性体からなり、平面シート状の底部と、前記底部の外周端部に接続する屈曲部を介して上方に立ち上がる側壁部とを有し、上部が開放され、裏返し可能な食品収納容器において、
前記底部の厚みが、前記屈曲部の厚みよりも厚く、
前記屈曲部の厚みが、前記側壁部の厚みよりも薄く、
前記底部の厚みが、前記側壁部の厚みよりも厚いことを特徴とし、
前記底部及び前記屈曲部の各々の外周は、平面視において同心円形状であり、
前記側壁部の上方端部の形状は、平面視において多角形であり、
裏返し可能であり比較対象となる比較食品収納容器であって、平面シート状の比較底部と、前記比較底部の外周端部に接続する比較屈曲部を介して上方に立ち上がる比較側壁部とを有し、前記比較底部、前記比較屈曲部及び前記比較側壁部の各々の厚みのみを除いて前記食品収納容器と同一形状及び同一素材よりなり、前記比較底部の厚みと前記比較屈曲部の厚みと前記比較側壁部の厚みとが同一で且つ前記比較底部の厚みと前記底部の厚みとが同一であるものに比べて、前記底部は、裏返したときの形状変化が小さい、食品収納容器。
【発明の詳細な説明】
【技術分野】
【０００１】
この発明は食品収納容器に関し、特に弁当のおかずを収容する食品収納容器に関するものである。
【背景技術】
【０００２】
図１０は、従来の食品収納容器の正面図であり、図１１は、図１０で示した食品収納容器の平面図であり、図１２は、図１１で示したＸＩＩ−ＸＩＩラインの端面図である。
【０００３】
これらの図を参照して、食品収納容器７０は、シリコンゴムを射出成形したものからなり、平面シート状の底部７１と、底部７１の外周端部に接続する屈曲部７２を介して上方に立ち上がる側壁部７３とを有し、上部が開放されているもので、主に弁当のおかずの収容に用いられる。
【０００４】
尚、底部７１、屈曲部７２及び側壁部７３は、いずれも同一の厚みに設定されている。
【発明の概要】
【発明が解決しようとする課題】
【０００５】
図１３は、図１０で示した食品収納容器を裏返した状態を示す正面図であり、図１４は、図１３で示したＸＩＶ−ＸＩＶラインの端面図であり、図１５は、図１２及び図１４に示した屈曲部の変化状況及び底部への力のかかり方を示した模式図である。
【０００６】
まず、図１０及び図１１で示すように、食品収納容器７０は平面視花形の形状を有するものであるが、上述したように食品収納容器７０はシリコンゴムよりなり、軟性及び弾性を有するので形状をある程度変化させることができる。そこで、食品収納容器７０の意匠性の向上を目的として、食品収納容器７０の外観形状を変化させるために食品収納容器７０の内側と外側とを裏返してみる。すると、食品収納容器７０は屈曲部７２で裏返り、図１３及び図１４に示す外観形状に変化する。
【０００７】
ここで、図１５の（１）を参照して、食品収納容器７０を裏返す前は、屈曲部７２の内側である点Ａ１から点Ａ２までの距離はＬ１であり、屈曲部７２の外側である点Ｂ１から点Ｂ２までの距離はＭ１となっており、距離Ｌ１は距離Ｍ１よりも短くなっている。尚、底部７１、屈曲部７２及び側壁部７３は、上述したようにいずれも同一の厚みＴ１に設定されている。
【０００８】
次に、図１５の（２）を参照して、側壁部７３を図１５の（１）に示した矢印の方向に倒して食品収納容器７０を裏返した後は、屈曲部７２の内側であった点Ａ１から点Ａ２は、屈曲部７２の外側に該当するようになる。よって、点Ａ１から点Ａ２までの距離がＬ１よりも長いＬ２に変化し、点Ａ１から点Ａ２の部分は伸長状態となる。すると、変化後の底部７１の外側に当たる部分には、図の一点鎖線で示した底部７１の中心を境に左右に引っ張られる力Ｆ１がかかる。
【０００９】
一方、屈曲部７２の外側であった点Ｂ１から点Ｂ２は屈曲部７２の内側に該当するようになる。よって、点Ｂ１から点Ｂ２までの距離がＭ１よりも短いＭ２に変化し、点Ｂ１から点Ｂ２の部分は収縮状態となる。すると、変化後の底部７１の内側に当たる部分には、左右から図の一点鎖線で示した底部７１の中心に向かって押し込まれる力Ｆ２がかかる。
【００１０】
すると、底部７１には左右に引っ張られる力Ｆ１と中心に押し込まれる力Ｆ２との両方がかかるので、底部７１は図の二点鎖線で示した本来の底部７１の位置よりも外側に出っ張る。即ち、裏返した後の食品収納容器７０は、図１３及び図１４に示すように外観が変化するが、底部７１が外側に出っ張って座りや弁当箱への納まりが悪いものとなっていた。
【００１１】
又、底部７１、屈曲部７２及び側壁部７３の各々が同一の厚みＴ１に設定されていることから、裏返りによる底部７１の形状変化は、側壁部７３の形状変化までもを引き起こすので、裏返した食品収納容器７０の全体形状が不安定となる。
【００１２】
この発明は、上記のような課題を解決するためになされたもので、裏返しても底部の形状が変化しにくい食品収納容器を提供することを目的とする。
【課題を解決するための手段】
【００１３】
上記の目的を達成するために、請求項１記載の発明は、軟質弾性体からなり、平面シート状の底部と、底部の外周端部に接続する屈曲部を介して上方に立ち上がる側壁部とを有し、上部が開放され、裏返し可能な食品収納容器において、底部の厚みが、屈曲部の厚みよりも厚く、屈曲部の厚みが、側壁部の厚みよりも薄く、底部の厚みが、側壁部の厚みよりも厚いことを特徴とし、底部及び屈曲部の各々の外周は、平面視において同心円形状であり、側壁部の上方端部の形状は、平面視において多角形であり、裏返し可能であり比較対象となる比較食品収納容器であって、平面シート状の比較底部と、比較底部の外周端部に接続する比較屈曲部を介して上方に立ち上がる比較側壁部とを有し、比較底部、比較屈曲部及び比較側壁部の各々の厚みのみを除いて食品収納容器と同一形状及び同一素材よりなり、比較底部の厚みと比較屈曲部の厚みと比較側壁部の厚みとが同一で且つ比較底部の厚みと底部の厚みとが同一であるものに比べて、底部は、裏返したときの形状変化が小さいものである。
【００１４】
このように構成すると、屈曲部に対して底部の曲げ強度が増す。又、側壁部の保形性が向上する。更に、底部全体に均等に力がかかる。更に、裏返す前後で容器形状が大きく変化する。
【発明の効果】
【００２１】
以上説明したように、請求項１記載の発明は、屈曲部に対して底部の曲げ強度が増すので、容器を屈曲部で裏返したときの形状変化の影響が底部に出にくくなる。又、側壁部の保形性が向上するので、裏返した容器の全体形状が安定する。更に、底部全体に均等に力がかかるので、底部の形状変化が均一なものとなる。更に、裏返す前後で容器形状が大きく変化するので、意匠性が高まる。
【図面の簡単な説明】
【００２５】
【図１】この発明の第１の実施の形態による食品収納容器の平面図である。
【図２】図１で示したＩＩ−ＩＩラインの端面図である。
【図３】図１で示した食品収納容器を裏返した状態を示す平面図である。
【図４】図３で示したＩＶ−ＩＶラインの端面図である。
【図５】図２及び図４に示した屈曲部の変化状況及び底部への力のかかり方を示した模式図である。
【図６】この発明の第２の実施の形態による食品収納容器の端面図であって、第１の実施の形態による食品収納容器の図２に対応する図である。
【図７】この発明の第３の実施の形態による食品収納容器の端面図であって、第１の実施の形態による食品収納容器の図２に対応する図である。
【図８】この発明の第４の実施の形態による食品収納容器の端面図であって、従来の食品収納容器の図１２に対応する図である。
【図９】図８に示した屈曲部の変化状況及び底部への力のかかり方を示した模式図である。
【図１０】従来の食品収納容器の正面図である。
【図１１】図１０で示した食品収納容器の平面図である。
【図１２】図１１で示したＸＩＩ−ＸＩＩラインの端面図である。
【図１３】図１０で示した食品収納容器を裏返した状態を示す正面図である。
【図１４】図１３で示したＸＩＶ−ＸＩＶラインの端面図である。
【図１５】図１２及び図１４に示した屈曲部の変化状況及び底部への力のかかり方を示した模式図である。
【発明を実施するための形態】
【００２６】
図１は、この発明の第１の実施の形態による食品収納容器の平面図であり、図２は、図１で示したＩＩ−ＩＩラインの端面図である。
【００２７】
これらの図を参照して、食品収納容器１０は軟質弾性体であるシリコンゴムを射出成形したものからなり、平面シート状の底部１１と、底部１１の外周端部に接続する屈曲部１２を介して上方に立ち上がる側壁部１３とを有し、上部が開放されているものであり、主に弁当のおかずの収容に用いられる。尚、寸法的には、平面視の外径が６０ｍｍ、高さが３０ｍｍ程度の大きさである。
【００２８】
尚、底部１１は食品収納容器１０の外側においては屈曲部１２と面一であるが、食品収納容器１０の内側においては屈曲部１２よりも盛り上がっている。即ち、底部１１の厚みは屈曲部１２の厚みよりも厚く形成されている。又、屈曲部１２の厚みは、側壁部１３の厚みよりも薄く形成されている。このように構成したことによる効果は後述する。
【００２９】
側壁部１３の上方端部の形状は、平面視において星を模した略五角形である。このように構成したことによる効果は後述する。又、底部１１及び屈曲部１２の各々の外周は、平面視において同心円形状である。このように構成したことによる効果も後述する。
【００３０】
図３は、図１で示した食品収納容器を裏返した状態を示す平面図であり、図４は、図３で示したＩＶ−ＩＶラインの端面図であり、図５は、図２及び図４に示した屈曲部の変化状況及び底部への力のかかり方を示した模式図である。
【００３１】
まず、図３を参照して、食品収納容器１０の側壁部１３の上方端部の形状は平面視花形の形状に変化している。即ち、裏返す前の側壁部１３の上方端部の形状が上述した略五角形のような多角形であると、裏返した後の側壁部１３の上方端部の形状が曲線を主体とした形状に変化し、裏返す前後で側壁部１３の上方端部の形状が大きく変化する。よって、食品収納容器１０の意匠性が高まる。
【００３２】
次に、図５の（１）を参照して、裏返す前の食品収納容器１０において、屈曲部１２の内側である点Ａ１から点Ａ２までの距離はＬ３であり、屈曲部１２の外側である点Ｂ１から点Ｂ２までの距離はＭ３となっている。尚、底部１１の厚みは図１５で示した従来の食品収納容器７０の底部７１、屈曲部７２及び側壁部７３と同様のＴ１（１．２ｍｍ）に、屈曲部１２の厚みはＴ２（０．６ｍｍ）に、側壁部１３の厚みはＴ３（０．８ｍｍ）にそれぞれ設定されている。尚、上述したように、Ｔ２はＴ１及びＴ３よりも小さい値に設定されている。即ち、屈曲部１２の厚みは従来の食品収納容器７０の屈曲部７２の厚みよりも薄く設定されている。このように構成したことによる効果は後述する。
【００３３】
次に、図５の（２）を参照して、図５の（１）に示す矢印の方向に側壁部１３を倒して食品収納容器１０を裏返した後は、屈曲部１２の内側であった点Ａ１から点Ａ２は、屈曲部１２の外側に該当するようになる。よって、点Ａ１から点Ａ２までの距離がＬ３よりも長いＬ４に変化し、点Ａ１から点Ａ２の部分は伸長状態となる。すると、変化後の底部１１の外側に当たる部分には、図の一点鎖線で示した底部１１の中心を境に左右に引っ張られる力Ｆ３がかかる。
【００３４】
一方、屈曲部１２の外側であった点Ｂ１から点Ｂ２は屈曲部１２の内側に該当するようになる。よって、点Ｂ１から点Ｂ２までの距離がＭ３よりも短いＭ４に変化し、点Ｂ１から点Ｂ２の部分は収縮状態となる。すると、変化後の底部１１の内側に当たる部分には、左右から図の一点鎖線で示した底部１１の中心に向かって押し込まれる力Ｆ４がかかる。
【００３５】
ここで、上述したように、屈曲部１２の厚みは従来の食品収納容器７０の屈曲部７２の厚みよりも薄く設定されているから、距離Ｌ３と距離Ｌ４との差は距離Ｌ１と距離Ｌ２との差より小さくなる。その結果、底部１１の外側にかかる力Ｆ３は図１５の（２）に示す従来の食品収納容器７０の底部７１の外側にかかる力Ｆ１よりも弱くなる。又、底部１１の内側にかかる力Ｆ４も同様の理由で、図１５の（２）に示す従来の食品収納容器７０の底部７１の内側にかかる力Ｆ２よりも弱くなる。
【００３６】
すると、底部１１の厚みは図１５の（１）に示す従来の食品収納容器７０の底部７１の厚みＴ１から変わっていないので、左右に引っ張られる力Ｆ３と中心に押し込まれる力Ｆ４とが小さくなったことにより、底部１１は食品収納容器１０を屈曲部１２で裏返したときの形状変化の影響が出にくくなる。これは観点を変えれば、屈曲部１２に対する底部１１の曲げ強度が従来の食品収納容器７０の底部７１に比べて相対的に増していることに起因するとも言える。
【００３７】
又、上述したように、底部１１及び屈曲部１２の各々の外周は平面視において同心円形状であるから、上端が多角形形状であっても裏返しによる底部１１全体に加わる不均一な力が緩和される。よって、底部１１の形状変化が均一なものとなる。
【００３８】
更に、上述したように、屈曲部１２の厚みは側壁部１３の厚みよりも薄いから、裏返りによる側壁部１３への影響も小さくなり、側壁部１３の変形が小さくなる。
【００３９】
よって、食品収納容器１０は裏返した後でも底部１１が出っ張ったり側壁部１３の形状が大きく変化したりすることがなく、図４に示すような全体形状が安定したものとなる。
【００４０】
図６は、この発明の第２の実施の形態による食品収納容器の端面図であって、第１の実施の形態による食品収納容器の図２に対応する図である。
【００４１】
図を参照して、図２に示す第１の実施の形態の食品収納容器１０において、底部１１が食品収納容器２０の内側において屈曲部２２と面一であって外側に向かって盛り上がる底部２１に置き換わっている。このように構成しても、屈曲部２２に対する底部２１の曲げ強度が増すので、食品収納容器２０を屈曲部２２で裏返したときの形状変化の影響が底部２１に出にくくなる。尚、他の食品収納容器２０の構成要素は第１の実施の形態の食品収納容器１０と同一であるため、ここでの説明は繰り返さない。
【００４２】
図７は、この発明の第３の実施の形態による食品収納容器の端面図であって、第１の実施の形態による食品収納容器の図２に対応する図である。
【００４３】
図を参照して、図２に示す第１の実施の形態の食品収納容器１０において、底部１１が食品収納容器３０の内側及び外側の両方に向かって盛り上がる底部３１に置き換わっている。このように構成しても、屈曲部３２に対する底部３１の曲げ強度が増すので、食品収納容器３０を屈曲部３２で裏返したときの形状変化の影響が底部３１に出にくくなる。尚、他の食品収納容器３０の構成要素は第１の実施の形態の食品収納容器１０と同一であるため、ここでの説明は繰り返さない。
【００４４】
図８は、この発明の第４の実施の形態による食品収納容器の端面図であって、従来の食品収納容器の図１２に対応する図であり、図９は、図８に示した屈曲部の変化状況及び底部への力のかかり方を示した模式図である。
【００４５】
まず図８を参照して、図１２に示す従来の食品収納容器７０において、底部７１が食品収納容器４０の内側に向かって盛り上がる底部４１に置き換わっている。尚、他の食品収納容器４０の構成要素は従来の食品収納容器７０と同一であるため、ここでの説明は繰り返さない。
【００４６】
次に、図９の（１）を参照して、裏返す前の食品収納容器４０における屈曲部４２の内側の点Ａ１から点Ａ２までの距離、屈曲部４２の外側の点Ｂ１から点Ｂ２までの距離、屈曲部４２及び側壁部４３の厚みの各々は図１５の（１）にて示した従来の食品収納容器７０と同様であり、Ｌ１、Ｍ１、Ｔ１となっている。底部４１の厚みはＴ４に設定されており、Ｔ４は、上述したようにＴ１よりも大きい値に設定されている。即ち、底部４１の厚みは従来の食品収納容器７０の底部７１の厚みよりも厚く設定されている。このように構成したことによる効果は後述する。
【００４７】
最後に、図９の（２）を参照して、図９の（１）に示す矢印の方向に側壁部４３を倒して食品収納容器４０を裏返した後の屈曲部４２の内側の点Ａ１から点Ａ２までの距離、屈曲部４２の外側の点Ｂ１から点Ｂ２までの距離の各々も、図１５の（２）にて示した従来の食品収納容器７０と同様のＬ２、Ｍ２に変化する。よって、点Ａ１から点Ａ２の部分は伸長状態となり、変化後の底部４１の外側に当たる部分には、図の一点鎖線で示した底部４１の中心を境に左右に引っ張られる力Ｆ１がかかる。又、屈曲部４２の外側であった点Ｂ１から点Ｂ２の部分は収縮状態となる。すると、変化後の底部４１の内側に当たる部分には、左右から図の一点鎖線で示した底部４１の中心に向かって押し込まれる力Ｆ２がかかる。尚、力Ｆ１及び力Ｆ２は従来の食品収納容器７０にかかる力と同一である。
【００４８】
ここで、上述したように、底部４１の厚みは従来の食品収納容器７０の底部７１の厚みよりも厚く設定されているから、底部４１の曲げ強度は従来の食品収納容器７０の底部７１よりも増している。よって、上述のように底部４１には従来の食品収納容器７０の底部７１にかかる力と同様の力がかかっているが、底部４１は食品収納容器４０を屈曲部４２で裏返したときの形状変化の影響が出にくくなる。
【００４９】
尚、上記の第１の実施の形態、第２の実施の形態及び第３の実施の形態では、側壁部の上方端部の形状は平面視において略五角形であったが、他の多角形でもよく、又、多角形以外の形状であってもよい。
【００５０】
又、上記の第１の実施の形態、第２の実施の形態及び第３の実施の形態では、底部及び屈曲部の各々の外周は平面視において同心円形状であったが、他の形状であってもよい。
【００５１】
更に、上記の各実施の形態では、食品収納容器はシリコンゴムからなるものであったが、軟質弾性体であれば、他の素材からなるものであってもよい。
【００５２】
更に、上記の各実施の形態では、食品収納容器はシリコンゴムを射出成形したものからなるものであったが、他の成形方法を用いたものでもよい。
【００５３】
更に、上記の各実施の形態では、側壁部の厚さは屈曲部の厚さと同等以上であったが、屈曲部の厚さ未満であってもよい。
【００５４】
更に、上記の第１の実施の形態では、屈曲部の厚さは底部の厚さの１／２であったが、底部の厚さより薄ければよく、更には屈曲部の厚さは底部の厚さの０．３〜０．７倍が好ましい。
【符号の説明】
【００５５】
１０…食品収納容器
１１…底部
１２…屈曲部
１３…側壁部
２０…食品収納容器
２１…底部
２２…屈曲部
３０…食品収納容器
３１…底部
３２…屈曲部
４０…食品収納容器
４１…底部
４２…屈曲部
４３…側壁部
尚、各図中同一符号は同一又は相当部分を示す。
【図１】
0006296587.tif 000002
【図２】
0006296587.tif 000003
【図３】
0006296587.tif 000004
【図４】
0006296587.tif 000005
【図５】
0006296587.tif 000006
【図６】
0006296587.tif 000007
【図７】
0006296587.tif 000008
【図８】
0006296587.tif 000009
【図９】
0006296587.tif 000010
【図１０】
0006296587.tif 000011
【図１１】
0006296587.tif 000012
【図１２】
0006296587.tif 000013
【図１３】
0006296587.tif 000014
【図１４】
0006296587.tif 000015
【図１５】
0006296587.tif 000016